(57)【特許請求の範囲】
【請求項１】
光源と、
一方の面に前記光源からの光が入射すると共に他方の面から前記光が出射する投影レンズと、
前記投影レンズが固定され前記投影レンズから出射する前記光の方向とは反対側に延在するレンズホルダと、
前記レンズホルダの前記投影レンズが固定される側とは反対側に配置され前記光源からの光が通る開口を有するベースプレートと、
を備え、
前記ベースプレートは、前記投影レンズと前記レンズホルダとの間において前記レンズホルダの内壁面に隣り合って設けられて前記投影レンズ側に延在する遮光部を有し、
前記遮光部は、前記ベースプレートの一部を折り曲げて形成され、灯具の外側から前記投影レンズを通して前記レンズホルダに進行する太陽光の少なくとも一部を遮光する
ことを特徴とする灯具。
【請求項２】
前記ベースプレートの前記投影レンズが備えられる側とは反対側に、前記光源からの光の一部を遮るシェードが固定される
ことを特徴とする請求項１に記載の灯具。
【請求項３】
前記シェードは金型を用いて成型される
ことを特徴とする請求項２に記載の灯具。
【請求項４】
前記シェードと前記ベースプレートとが固定される固定部は、前記ベースプレートの一部が折り曲げられて前記遮光部が形成されるときにできる折り曲げ線に対して直交する方向に位置する
ことを特徴とする請求項２又は３に記載の灯具。
【請求項５】
前記シェードは前記光源から出射する光が前記投影レンズで反射されて照射される照射部を有し、
前記照射部は前記投影レンズで反射されて照射される光の少なくとも一部を前記投影レンズに再び到達させない
ことを特徴とする請求項２から４のいずれか１項に記載の灯具。
【請求項６】
前記照射部は前記投影レンズで反射されて照射される光の少なくとも一部を前記投影レンズに再び到達させないように反射させられる方向に延在する
ことを特徴とする請求項５に記載の灯具。
【請求項７】
前記照射部は、前記光源からの前記光が入射する前記投影レンズの入射面に対して傾斜し、
傾斜する前記照射部は、前記入射面に直交する前記投影レンズの中心軸に直交する直交方向において前記投影レンズの中心軸から離れるにしたがって前記中心軸方向において前記入射面から離れて配置される
ことを特徴とする請求項６に記載の灯具。
【請求項８】
前記レンズホルダは、
前記投影レンズ側に備えられ、前記投影レンズが固定される筒状部と、
前記光源側に備えられ、前記筒状部に連続し、前記投影レンズから出射する前記光源からの前記光の出射方向とは反対側に延在し、並んで配置される一対の脚部と、
を備え、
前記遮光部は、対向して一対配置されており、
一対の前記遮光部は、前記一対の脚部それぞれと前記投影レンズとの間において前記一対の脚部の内側の面に沿うように配置される
ことを特徴とする請求項１に記載の灯具。
【請求項９】
前記遮光部のために前記ベースプレートの一部が折り曲げられときにできる折り曲げ線に配置されるビードをさらに備える
ことを特徴とする請求項１に記載の灯具。
【発明の詳細な説明】
【技術分野】
【０００１】
本発明は、灯具に関する。
【背景技術】
【０００２】
灯具として、例えば、光源と当該光源から出射する光を透過させて所望の箇所に光を投射する投影レンズとを備えるものがある。このような灯具として、例えば、車両用灯具が挙げられる。
【０００３】
下記特許文献１には、車両用灯具の一種である車両用前照灯に関する技術が開示されている。特許文献１に開示されている車両用前照灯は、レンズホルダ、レンズホルダに固定される投影レンズ、リフレクタ、及び、リフレクタで反射させて投影レンズに光を投射する光源等を備えている。この車両用前照灯において、光源には発光ダイオード（ＬＥＤ）が用いられている。光源として発光ダイオードが用いられる場合、ハロゲンランプやディスチャージドランプのような従来の光源に比べて発熱量が低減する。その結果、レンズホルダや投影レンズを樹脂で構成することが可能とされる。
【先行技術文献】
【特許文献】
【０００４】
【特許文献１】特開２０１４−１４６４６３号公報
【発明の概要】
【発明が解決しようとする課題】
【０００５】
上記のようにレンズホルダや投影レンズが樹脂で構成されることによって、灯具の軽量化や製造コストの低減等が図られる。その一方で、本発明者らは以下のような現象が生じる可能性を検討した。すなわち、灯具が屋外で利用される場合、投影レンズを通して外側から入射する太陽光が樹脂製のレンズホルダの一部に集光してレンズホルダが損傷される可能性について検討した。
【０００６】
本発明者らは、上記検討の結果、太陽光がレンズホルダに照射することを妨げる遮光部が投影レンズとレンズホルダとの間に設けられることによって、太陽光によるレンズホルダの損傷を抑制できることを見出した。
【０００７】
そこで、本発明は、太陽光によるレンズホルダの損傷が抑制される灯具を提供しようとするものである。
【課題を解決するための手段】
【０００８】
上記課題を解決するため、本発明の灯具は、光源と、一方の面に前記光源からの光が入射すると共に他方の面から前記光が出射する投影レンズと、前記投影レンズが固定され前記投影レンズから出射する前記光の方向とは反対側に延在するレンズホルダと、前記レンズホルダの前記投影レンズが固定される側とは反対側に配置され前記光源からの光が通る開口を有するベースプレートと、を備え、前記ベースプレートは前記投影レンズと前記レンズホルダとの間において前記投影レンズ側に延在する遮光部を有し、前記遮光部は前記ベースプレートの一部を折り曲げて形成されることを特徴とする。
【０００９】
上記のように投影レンズとレンズホルダとの間に遮光部が備えられることによって、灯具の外側から投影レンズを通して入射する太陽光の少なくとも一部はレンズホルダに照射されずに遮光部に照射される。その結果、太陽光によるレンズホルダの損傷が抑制される。また、ベースプレートの一部が折り曲げられて遮光部が形成されることによって、灯具の製造コストの増大が抑制される。
【００１０】
また、前記ベースプレートの前記投影レンズが備えられる側とは反対側に、前記光源からの光の一部を遮るシェードが固定されることが好ましい。このようなシェードが備えられることによって、光源から出射される光が制御されて投影レンズに入射するので、投影レンズから出射する光を所望の配光パターンとすることができる。また、投影レンズとレンズホルダとの相対的位置が固定されており、シェードとベースプレートとの相対的位置も固定されているので、ベースプレートとレンズホルダとの相対的位置が固定されれば、投影レンズとシェードとの相対的位置が正確に決められる。その結果、所望の配光パターンが正確に形成され易くなる。
【００１１】
また、前記シェードは金型を用いて成型されることが好ましい。上記のようにシェードは光源からの光を制御する役割を有している。投影レンズから出射する光の配光パターンを正確にするためには、シェードの形状が精密である必要がある。シェードが金型を用いて成型されることによって高精度な形状のシェードが得られる。なお、ベースプレートとシェードとが金型で一体成型されることも可能であるが、特に精度が要求されるシェードは金型で成型されると共にベースプレートは板金等から成形されることによって、灯具の製造コストの増大が抑制される。
【００１２】
また、前記シェードと前記ベースプレートとが固定される固定部は、前記ベースプレートの一部が折り曲げられて前記遮光部が形成されるときにできる折り曲げ線に対して直交する方向に位置することが好ましい。ベースプレートの一部が折り曲げられて遮光部が形成されることによって、そのときにできる折り曲げ線に対して直交する方向では、その折り曲げ線に平行な方向の曲げ剛性が増す。従って、上記のような位置でシェードとベースプレートとが固定されることによって、シェードとベースプレートとが固定される際にベースプレートに加えられる力によってベースプレートが変形することが抑制される。その結果、シェードの設置位置がずれることが抑制される。
【００１３】
また、前記シェードは、前記光源から出射する光が前記投影レンズで反射されて照射される照射部を有し、前記照射部は前記投影レンズで反射されて照射される光の少なくとも一部を前記投影レンズに再び到達させないことが好ましい。光源から出射する光が投影レンズで反射されてシェードに照射され、シェードで反射して再び投影レンズを透過した場合、意図しない箇所に光が照射される虞がある。上記のようにシェードに照射される光の少なくとも一部が再び投影レンズに到達しないようにされることによって、意図しない光が投影レンズから出射することが抑制される。
【００１４】
また、前記照射部は前記投影レンズで反射されて照射される光の少なくとも一部を前記投影レンズに再び到達させないように反射させられる方向に延在することが好ましい。このような形状のシェードを作製することは容易なので、灯具の製造コストの増大が抑制されつつ、意図しない光が投影レンズから出射することが抑制される。
【発明の効果】
【００１５】
以上のように、本発明によれば、太陽光によるレンズホルダの損傷が抑制される灯具が提供される。
【図面の簡単な説明】
【００１６】
【図１】本発明の実施形態に係る灯具の構成を概略的に示す断面図である。
【図２】灯具ユニットを示す斜視図である。
【図３】灯具ユニットを構成する部材を示す分解斜視図である。
【図４】ベースプレートとシェードとを分解して示す斜視図である。
【図５】図４とは異なる方向から見たベースプレートの斜視図である。
【図６】ベースプレートのうち図５に示すＶＩの部分を拡大して示す斜視図である。
【図７】灯具ユニットを構成する一部の部材の切断面および光源から出射する光の光路の例を示す図である。
【図８】シェードの切断面を示す図である。
【発明を実施するための形態】
【００１７】
以下、本発明に係る灯具の好適な実施形態について図面を参照しながら詳細に説明する。なお、各図において各部材の縮尺や寸法比等は実際とは異なる場合がある。
【００１８】
図１は本発明の実施形態に係る灯具の構成を概略的に示す断面図である。図１には、灯具の一例として車両用前照灯が示されている。図１に示す車両用前照灯１は、灯具ユニット２と、灯具ユニット２を収容する外筐３と、を備えている。以下、車両用前照灯１を構成するこれらの構成要素について詳細に説明する。
【００１９】
＜外筐３＞
外筐３は、ランプハウジング４及びフロントカバー５を有する。ランプハウジング４及びフロントカバー５によって形成される灯室３ａに灯具ユニット２が収容される。ランプハウジング４は後述する光源１１からの光が出射する側に開口を有する。フロントカバー５は、ランプハウジング４の当該開口を塞ぐように配置される。フロントカバー５は透光性を有する材料で構成されており、光源１１から出射する光はフロントカバー５を透過する。また、ランプハウジング４は開孔４ａを有している。開孔４ａは灯具ユニット２の構成部品を交換する際に使用される。そして、外筐３はランプハウジング４の開孔４ａを塞ぐバックカバー６を更に備えている。
【００２０】
＜灯具ユニット２＞
図２は灯具ユニット２を示す斜視図である。また、図３は灯具ユニット２を構成する部材を示す分解斜視図である。図１から図３に示すように、灯具ユニット２は、光源ユニット１０、リフレクタ２０、ベースプレート３０、シェード３５、レンズホルダ４０、及び、投影レンズ４５を主な構成として備えている。
【００２１】
（光源ユニット１０）
光源ユニット１０は、光源１１、発光制御回路１２、ヒートシンク１３、及び冷却ファン１５を備えている。本実施形態の車両用前照灯１において、光源１１はＬＥＤである。発光制御回路１２は光源１１の発光を制御する。ヒートシンク１３はベース１３ａ及び複数の放熱フィン１３ｂを備えている。ベース１３ａは板状の部材であり、一方の面側には光源１１及び発光制御回路１２が載置され、他方の面側には放熱フィン１３ｂが設けられる。また、ヒートシンク１３の放熱フィン１３ｂが設けられる側には、冷却ファン１５が配置されている。光源１１及び発光制御回路１２が発する熱はヒートシンク１３のベース１３ａから放熱フィン１３ｂへと伝わり、放熱フィン１３ｂが冷却ファン１５によって冷却されることにより、効率良く光源ユニット１０から熱が放出される。
【００２２】
（リフレクタ２０）
リフレクタ２０は光源１１に被さるように設けられており、ねじ２４によって光源ユニット１０に固定されている。また、リフレクタ２０は光源１１と対向する面に反射面２０ａを有している。反射面２０ａは光源１１の発光中心を第１焦点とする略楕円面状の曲面である。光源１１から出射する光の少なくとも一部は反射面２０ａによって投影レンズ４５側へ反射される。
【００２３】
（投影レンズ４５）
光源１１から出射する光は上記のように反射面２０ａで反射され、投影レンズ４５の一方の面４５ｂに入射して他方の面４５ａから出射する。投影レンズ４５は非球面平凸レンズであり、光源１１からの光が入射する側の面である入射面４５ｂは平面状であり、光源１１からの光が出射する側の面である出射面４５ａは当該光の出射方向に膨らむ凸面状である。また、投影レンズ４５は外周にフランジ部４６を有している。そして、投影レンズ４５は後側焦点を含む焦点面である後側焦点面上に形成される光源像を反転像として投影する。従って、後述するシェード３５が当該後側焦点面上に配置されることによって、シェード３５の形態に応じた配光パターンの光が投影レンズ４５から出射される。
【００２４】
（レンズホルダ４０）
レンズホルダ４０は投影レンズ４５を保持する部材である。投影レンズ４５のフランジ部４６がレンズホルダ４０に固定される。上述したように光源１１はＬＥＤであり、ハロゲンランプやディスチャージドランプ等に比べて光源１１からの発熱量が低減している。そのため、投影レンズ４５及びレンズホルダ４０をポリカーボネート等の樹脂で構成することが可能であり、本実施形態の車両用前照灯１では投影レンズ４５及びレンズホルダ４０は樹脂で構成される。投影レンズ４５及びレンズホルダ４０が樹脂で構成されることによって、投影レンズ４５とレンズホルダ４０とを溶着によって固定することができる。また、投影レンズ４５及びレンズホルダ４０が樹脂で構成されることによって、車両用前照灯１の軽量化や製造コストの低減を図ることができる。
【００２５】
レンズホルダ４０は投影レンズ４５側に備えられる筒状部４１と、光源１１側に備えられる一対の脚部４２と、を有している。一対の脚部４２は水平方向に並んで配置されている。図１から図３には一対の脚部４２のうち一方のみが表れている。筒状部４１は外形が円錐台状の中空部材であり、投影レンズ４５から出射する上記光の方向とは反対側に向かって内径及び外径が広がりつつ延在する。筒状部４１の投影レンズ４５側の端部は上記のように投影レンズ４５のフランジ部４６に溶着される。また、一対の脚部４２は筒状部４１に連続して形成される部位である。一対の脚部４２は投影レンズ４５から出射する上記光の方向とは反対側に向かって脚部４２同士の間隔が広がりつつ延在する。一対の脚部４２のそれぞれの端部にはフランジ部４３が形成されており、当該フランジ部４３がねじ４４によって光源ユニット１０に固定される。
【００２６】
（ベースプレート３０及びシェード３５）
図４はベースプレート３０とシェード３５とを分解して示す斜視図である。図５は図４とは異なる方向から見たベースプレート３０の斜視図である。図６はベースプレート３０のうち図５に示すＶＩの部分を拡大して示す斜視図である。
【００２７】
ベースプレート３０はねじ３４，４４によって光源ユニット１０に固定され、レンズホルダ４０と光源ユニット１０との間に配置される。すなわち、ベースプレート３０はレンズホルダ４０の投影レンズ４５が固定される側とは反対側に配置される。
【００２８】
ベースプレート３０は光源１１から出射する光が通る開口３０ａを有している。光源１１から出射する光はベースプレート３０の開口３０ａを通り、投影レンズ４５に入射する。
【００２９】
また、ベースプレート３０はベースプレート３０の一部が折り曲げられて形成される板状の遮光部３１を有している。遮光部３１は投影レンズ４５とレンズホルダ４０との間において投影レンズ４５側に延在している。より具体的には、遮光部３１は水平方向に並んで二つ配置されおり、それぞれの遮光部３１がレンズホルダ４０の一対の脚部４２のそれぞれと投影レンズ４５との間において投影レンズ４５側に延在している。このように遮光部３１が備えられることによって、車両用前照灯１の外側から投影レンズ４５を通して入射する太陽光の少なくとも一部はレンズホルダ４０の脚部４２に照射されずに遮光部３１に照射される。その結果、太陽光によるレンズホルダ４０の損傷が抑制される。例えば、投影レンズ４５を通して入射する太陽光の焦点がレンズホルダ４０上に形成される場合であっても、当該焦点へ太陽光が照射されることを遮光部３１で遮ることによって、レンズホルダ４０の損傷が抑制される。
【００３０】
また、別部材がベースプレート３０に取り付けられて遮光部３１が形成されるのではなく、ベースプレート３０の一部が折り曲げられて遮光部３１が形成されることによって、車両用前照灯１の製造コストの増大が抑制される。
【００３１】
なお、遮光部３１はレンズホルダ４０から離間している。遮光部３１とレンズホルダ４０とが離間していることによって、遮光部３１が太陽光から与えられた熱がレンズホルダ４０に伝えられにくくなるので、レンズホルダ４０が熱によって損傷することがより抑制され易くなる。
【００３２】
遮光部３１は投影レンズ４５を通して灯具ユニット２の外側から内側に入射する太陽光がレンズホルダ４０に照射されることを抑制できる形態であれば良い。例えば、ベースプレート３０の一部を直角に折り曲げることによって遮光部３１が形成されても良く、レンズホルダ４０の脚部４２の内側の面に沿うように遮光部３１が形成されても良い。
【００３３】
また、ベースプレート３０は、灯具ユニット２をランプハウジング４に取り付けるための取付部３２を有する。取付部３２は、灯具ユニット２を投影レンズ４５側から見たときにベースプレート３０が灯具ユニット２を構成する他の部材と重ならない位置に形成される貫通孔である。取付部３２に通されるねじ（不図示）がランプハウジング４に形成されるねじ穴（不図示）に螺合されることによって、当該ねじの頭部とランプハウジング４とでベースプレート３０が挟持されて固定され、灯具ユニット２がランプハウジング４に固定される。
【００３４】
ベースプレート３０を構成する材料は特に限定されない。ただし、ベースプレート３０は太陽光を受ける遮光部３１を有しているため、ベースプレート３０は金属等の熱に強い材料で構成されることが好ましい。
【００３５】
次にシェード３５について説明する。シェード３５は光源１１からの光の一部を遮る部材である。シェード３５はベースプレート３０の投影レンズ４５が配置される側とは反対側に固定される。光源１１から出射する光がシェード３５によって制御されて投影レンズ４５に入射することにより、投影レンズ４５から出射する光を所望の配光パターンとすることができる。光源１１から出射する光はリフレクタ２０で反射され、当該光の一部はシェード３５に照射される。シェード３５に照射される光のうち一部はシェード３５によって遮蔽されて投影レンズ４５に入射しない。また、シェード３５に照射される光のうち他の一部はシェード３５によって反射されて投影レンズ４５に入射する。このとき、シェード３５が所望の配光パターンに合わせた形態とされていることによって、所望のカットラインが形成されたりオーバーヘッドサインが形成されたりして、所望の配光パターンとなるように光が投影レンズ４５に入射する。従って、シェード３５の形態を適宜変更するだけで様々な配光パターンを形成することができる。
【００３６】
上記のようにシェード３５は投影レンズ４５に入射する光源１１からの光を制御する役割を有している。投影レンズ４５から出射する光の配光パターンを正確にするためには、シェード３５の形状が精密であることが好ましい。従って、シェード３５は金型を用いて成型されることが好ましく、特にアルミダイキャストで成型されることが好ましい。シェード３５が金型を用いて成型されることによって高精度な形状のシェード３５が得られる。なお、ベースプレート３０とシェード３５とが金型で一体成型されることも可能であるが、特に精度が要求されるシェード３５は金型で成型されると共にベースプレート３０は板金等から成形されることによって、車両用前照灯１の製造コストの増大が抑制される。
【００３７】
上述したように投影レンズ４５とレンズホルダ４０とは固定されており、シェード３５とベースプレート３０とも固定されている。また、ベースプレート３０はレンズホルダ４０と光源ユニット１０に挟まれて固定されることから、ベースプレート３０とレンズホルダ４０とも固定されるので、投影レンズ４５とシェード３５との相対的位置が正確に決められる。さらに、ベースプレート３０及びリフレクタ２０は光源ユニット１０に固定されているので、光源１１、リフレクタ２０、シェード３５、及び、投影レンズ４５の相対的位置も正確に決められる。従って、本実施形態の車両用前照灯１によれば、光源１１からシェード３５を経て投影レンズ４５へと入射する光を所望の経路通りに通すことが容易になり、所望の配光パターンを正確に形成することが容易になる。
【００３８】
シェード３５とベースプレート３０との固定方法は特に限定されないが、例えばカシメやねじ止めによって固定される。シェード３５とベースプレート３０とが固定される固定部３６は、ベースプレート３０の一部を折り曲げて遮光部３１を形成するときにできる折り曲げ線３０ｂに対して直交する方向に位置する。ベースプレート３０の一部を折り曲げて遮光部３１が形成されることによって、そのときにできる折り曲げ線３０ｂに対して直交する方向では、その折り曲げ線３０ｂに平行な方向の曲げ剛性が増す。従って、上記のような位置でシェード３５とベースプレート３０とが固定されることによって、シェード３５とベースプレート３０とが固定される際にベースプレート３０に加えられる力によってベースプレート３０が変形することが抑制される。ベースプレート３０の変形が抑制されることにより、シェード３５の位置がずれることが抑制される。従って、シェード３５によって所望の配光パターンを正確に形成することがより容易になる。
【００３９】
なお、本実施形態の車両用前照灯１では、遮光部３１の根元、すなわち折り曲げ線３０ｂが形成される位置にビード３３が形成されている。このようにビード３３が形成されることによって、シェード３５とベースプレート３０とが固定される際のベースプレート３０の変形がより抑制され易くなる。従って、シェード３５の位置がずれることがより抑制され易くなり、シェード３５によって所望の配光パターンを正確に形成することがより容易になる。
【００４０】
また、シェード３５は、光源１１から出射する光が投影レンズ４５で反射されて照射される照射部３７を有する。図７及び図８を参照しつつ照射部３７について説明する。図７は灯具ユニット２を構成する一部の部材の切断面および光源１１から出射する光の光路の例を示す図である。図７において光路の例は矢印で示されている。また、図８はシェード３５の切断面を示す図である。
【００４１】
光源１１から出射してリフレクタ２０で反射されて投影レンズ４５の入射面４５ｂに達する光の多くは出射面４５ａから出射する。ただし、図７に示すように、光源１１から出射してリフレクタ２０で反射されて投影レンズ４５の入射面４５ｂに達する光の一部は入射面４５ｂによってシェード３５側に反射される場合がある。このように入射面４５ｂによって反射される光の一部は、シェード３５の照射部３７に照射される。照射部３７は入射面４５ｂで反射されて照射される光の少なくとも一部を投影レンズ４５に再び到達させない形態を有している。具体的には、照射部３７は入射面４５ｂに対して所定の角度θで傾斜して形成されている。図８に示す破線は入射面４５ｂに平行な面を示している。このように照射部３７が傾斜して形成されていることによって、投影レンズ４５で反射されて照射部３７に照射される光の少なくとも一部は投影レンズ４５には入射しない方向に反射される。照射部３７の入射面４５ｂに対する傾斜角θは、投影レンズ４５と照射部３７との位置関係等によって適宜変更可能であるが、例えば１０°程度とすることができる。
【００４２】
光源１１から出射する光が投影レンズ４５で反射されてシェード３５に照射され、シェード３５で反射して再び投影レンズ４５を透過した場合、意図しない箇所に光が照射される虞がある。上記のようにシェード３５に照射される光の少なくとも一部が再び投影レンズ４５に到達しないようにされることによって、意図しない光が投影レンズ４５から出射することが抑制される。また、入射面４５ｂに対して所定の角度θで傾斜している照射部３７を有するシェード３５を作製することは容易なので、本実施形態の車両用前照灯１によれば、製造コストの増大が抑制されつつ、意図しない光が投影レンズ４５から出射することが抑制される。
【００４３】
以上、本発明について好適な実施形態を例に説明したが、本発明はこれに限定されるものではない。例えば、遮光部の形態は上述した例に限定されない。遮光部はベースプレートの一部を折り曲げて形成されており、レンズホルダに太陽光が照射されること抑制できる形態であれば良い。従って、遮光部の形状、大きさ、及び設置位置はレンズホルダの形状等に応じて適宜変更可能である。
【００４４】
また、上記実施形態の車両用前照灯１ではシェード３５がベースプレート３０に固定される形態が例示されているが、本発明の灯具は係る形態に限定されない。シェードは、光源からシェードを経て投影レンズから出射される光の配光パターンを制御できる位置に配置されていればよく、ベースプレートに固定されていなくてもよい。
【００４５】
また、上記実施形態の車両用前照灯１ではシェード３５が金型を用いて成型される形態が例示されているが、シェードの製造方法は特に限定されない。ただし、上述したようにシェードが金型で成型されることによってシェードの形状が精密になるので、シェードは金型を用いて成型されることが好ましい。
【００４６】
また、上記実施形態の車両用前照灯１ではシェード３５とベースプレート３０とが固定される固定部３６が折り曲げ線３０ｂに対して直交する方向に位置する形態が例示されているが、シェードとベースプレートとが固定される位置は特に限定されない。ただし、上述したように、固定部３６が折り曲げ線３０ｂに対して直交する方向に位置することによって、シェード３５がベースプレート３０に固定されるときにベースプレート３０の変形が抑制される。
【００４７】
また、シェードの照射部の形態は上述した例に限定されない。照射部は、投影レンズで反射されて照射される光の少なくとも一部を投影レンズに再び到達させない形態であれば良い。すなわち、照射部は、投影レンズで反射されて照射される光の少なくとも一部を投影レンズに再び到達させないように反射させられる方向に延在していれば良く、途中で傾斜方向や傾斜角度が変わる形態であっても良い。また、照射部はローレット等のように照射される光を乱反射させる形状を有していても良く、光を吸収する色に塗装されていてもよい。
【００４８】
また、投影レンズ及びレンズホルダを構成する材料は樹脂に限定されない。ただし、レンズホルダが熱に対して弱い樹脂等で構成されている場合に本発明の効果、すなわち、太陽光によるレンズホルダの損傷が抑制されるという効果をより顕著に得られる。また、投影レンズも樹脂で構成されることによって、投影レンズを樹脂からなるレンズホルダに溶着によって固定することが容易になる。
【００４９】
また、本発明の灯具は車両用前照灯に限定されない。ただし、本発明の課題は太陽光によるレンズホルダの損傷を抑制することであるから、本発明の灯具は屋外での使用される可能性があるものである。従って、車両用前照灯のように太陽光が照射される屋外で使用される灯具に本発明の灯具が適用されることが好ましい。車両用前照灯以外の例としては、プロジェクタ等が挙げられる。
【産業上の利用可能性】
【００５０】
本発明によれば、太陽光によるレンズホルダの損傷が抑制される灯具が提供される。当該灯具は車両用前照灯等の屋外で利用される灯具に好適に利用される。
【符号の説明】
【００５１】
１・・・車両用前照灯（灯具）
２・・・灯具ユニット
３・・・外筐
４・・・ランプハウジング
５・・・フロントカバー
６・・・バックカバー
１０・・・光源ユニット
１１・・・光源
１２・・・発光制御回路
１３・・・ヒートシンク
１５・・・冷却ファン
２０・・・リフレクタ
３０・・・ベースプレート
３０ａ・・・開口
３０ｂ・・・折り曲げ線
３１・・・遮光部
３５・・・シェード
３６・・・固定部
３７・・・照射部
４０・・・レンズホルダ
４５・・・投影レンズ
４５ａ・・・出射面
４５ｂ・・・入射面
【図１】
0006595258.tif 000002
【図２】
0006595258.tif 000003
【図３】
0006595258.tif 000004
【図４】
0006595258.tif 000005
【図５】
0006595258.tif 000006
【図６】
0006595258.tif 000007
【図７】
0006595258.tif 000008
【図８】
0006595258.tif 000009